(57)【要約】【課題】バックルを備えた腰ベルトであって、負荷が大きな状態で使用しても、ベルトとバックルの固定箇所に損傷が少なく、また、ベルトの長さを調整しやすいものを提供する。【解決手段】ベルト本体１１に接着し一体化する裏革１３に数個の掛け孔１７を貫通して形成する。形成箇所はベルトの長さ調整範囲にわたるバックル固定箇所とする。一方、バックル３のベルト２を固定する挟持片１０に係合突起２０を設け、挟持片１０がベルト２を固定するとき係合突起２０が裏革１３の掛け孔１７に係合する構造とする。掛け孔１７は鳩目金具１６により補強したり、裏革１３に補強シート１５を貼着したりするなどして補強する。【選択図】図３
2010270413.tif 000002
【特許請求の範囲】
【請求項１】
ベルトとバックル及び尾錠金物を備え、ベルトに固定したバックルのフックにベルトの後端に固定した尾錠金物を引掛けて使用する腰ベルトであって、ベルトをベルト本体とこれに接着し一体化する裏革を備えたものとし、裏革のベルトの長さ調整範囲にわたるバックル固定箇所に、数個の掛け孔を補強材と共に貫通して形成してあり、バックルは表面板との間でベルトを押圧することにより固定する挟持片を備え、挟持片に押圧時に前記掛け孔に係合する係合突起を備えていることを特徴とした腰ベルト。
【請求項２】
ベルトとバックル及び尾錠金物を備え、ベルトに固定したバックルのフックにベルトの後端に固定した尾錠金物を引掛けて使用する腰ベルトであって、ベルトをベルト本体とこれに接着し一体化する裏革を備えたものとし、裏革のベルトの長さ調整範囲にわたるバックル固定箇所に、数個の掛け孔を鳩目金具により貫通して形成してあり、バックルは表面板との間でベルトを押圧することにより固定する挟持片を備え、挟持片に押圧時に前記掛け孔に係合する係合突起を備えていることを特徴とした腰ベルト。
【請求項３】
裏革のベルトの長さ調整範囲にわたるバックル固定箇所の表面に摩擦抵抗の高い素材からなる接触シートが貼着され裏革と接触シートを貫通して数個の掛け孔が鳩目金具により形成されていることを特徴とした請求項２に記載の腰ベルト。
【請求項４】
裏革のベルトの長さ調整範囲にわたるバックル固定箇所の裏面に強靭な補強シートを取り付け、裏革と補強シートを貫通して数個の掛け孔が鳩目金具により形成されていることを特徴とした請求項２又は３に記載の腰ベルト。
【発明の詳細な説明】
【技術分野】
【０００１】
本発明は、工事作業者、警察官、機動隊員などが腰回りに装着するベルトに関する。
【背景技術】
【０００２】
工事作業者、警察官、機動隊員などが使用する腰ベルトは頑丈に作られているが、ベルトに吊り下げる道具の重量や体の大きな動きなどのためにバックルによる固定箇所に大きな負荷（引張り力）を受ける。また、体格にあわせて長さを調節できることが必要である。
【０００３】
図１に示す従来の腰ベルト１（特許文献１）は牛革など丈夫なベルト２に金属製のバックル３と尾錠金物５を備える。バックル３は表面板４の裏面右側に門形のガイド部６を、左側に挟持部７を備えている。ガイド部６はその先端側辺に２個のフック８を先端側へ突出して平行に備える。挟持部７は上下の軸支部９とその間に回動可能に軸支された挟持片１０とからなる。挟持片１０は、回動操作によってベルト２をバックル３の表面板４裏面との間で押圧し、その摩擦力でバックル３とベルト２を固定してある。挟持片１０を固定位置から逆方向に回動するとベルト２の固定を解除できる。挟持部７の構造及び機能は周知である。尾錠金物５はベルトの後端部にカシメにより固定され、前記のフック８と係合できる（図２）。
【０００４】
この腰ベルト１は、ベルト２を腰にめぐらせ、尾錠金物５をバックル３のフック８に係合させて装着する。体格に応じたベルト長さの調整は挟持片１０によるベルト２の固定を解除して調整する。
使用中、ベルト２に吊り下げた道具の重量や体の屈曲などでベルト２の長手方向に作用する引張り力はすべて挟持片１０がベルト２を押圧している箇所に作用する。このため、この箇所のベルト表面は損傷しやすく、また、摩擦力が低下してすべりを生じるようになり、腰ベルト１を装着したときのフィット感が損なわれたり、すばやい行動が阻害されたりする。
【０００５】
特許文献２のウェストベルトは同種のベルトの固定に関して、挟着レバーの鋸歯状挟着縁で押圧状態とするだけでは、挟着力が低下してベルト主体がベルト挟着体から外れるようになる点に着目している。しかし、その解決手段は、ベルト主体の他端部に二個以上の掛止孔を幅方向に列設しておき、これをバックルの掛止突片に引掛ける構成である。
これにより、挟着レバーの鋸歯状挟着縁による挟着との協働でベルト主体の挟着連結を確実かつ長期に維持できるとしているが、この構造は、ベルト長さの調整が面倒で、掛止孔の形成を簡単に行えない。
【先行技術文献】
【特許文献】
【０００６】
【特許文献１】実開平５−５８０１０号公報
【特許文献２】登録実用新案第３０１８８４８号公報
【発明の概要】
【発明が解決しようとする課題】
【０００７】
バックルを備えた腰ベルトであって、負荷が大きな状態で使用しても、ベルトとバックルの固定箇所に損傷が少なく、また、ベルトの長さを調整しやすいものを提供する。
【課題を解決するための手段】
【０００８】
ベルト本体に接着し一体化する裏革に数個の掛け孔を貫通して形成する。形成箇所はベルトの長さ調整範囲にわたるバックル固定箇所とする。一方、バックルのベルトを固定する挟持片に係合突起を設け、挟持片がベルトを固定するとき係合突起が裏革の掛け孔に係合する構造とする。
掛け孔は鳩目金具により補強したり、裏革に補強シートを貼着したりするなどして補強することがある。
【発明の効果】
【０００９】
バックルにベルトを固定したとき、挟持片の係合突起が裏革の掛け孔と係合し、腰ベルト使用時の引張り力に抵抗するので、挟持片の摩擦による押圧固定箇所にすべりが生じにくく、固定箇所の損傷が防止される。その一方で、ベルトの長さ調整範囲にわたり掛け孔を複数としているので、体格に応じたベルトの調整を簡単に行える。
【図面の簡単な説明】
【００１０】
【図１】従来例の斜視図。
【図２】装着状態で示すバックル箇所の断面図（ハッチングを省略）。
【図３】腰ベルトの一部を示す斜視図（実施例）。
【図４】ベルトの長さ調整範囲を切り取り拡大して示す分解斜視図。
【図５】ベルトの長さ調整範囲の裏革を切り取り拡大して示す斜視図（裏面側）。
【図６】バックルの斜視図。
【図７】ベルトの固定操作を説明するための断面図（ハッチングを省略）。
【図８】バックルの平面図、操作段階〔イ〕〜〔ハ〕に対応している。
【発明を実施するための形態】
【００１１】
裏革に形成する掛け孔を鳩目金具による貫通孔とする。また、掛け孔形成箇所では補強シートを用い、掛け孔を補強する。さらに、挟持片によるベルト固定状態を強固なものとするために、挟持片が接するベルト面を摩擦抵抗の高い接触シートとする。挟持片に前記掛け孔に係合する係合突起を設ける。
【実施例１】
【００１２】
図３は、本願の発明による腰ベルト１の先端側を示し、ベルト２とバックル３の固定箇所を示している。腰ベルト１の後端側は前記した従来のものと同じであり、同じ符号を用い、図と説明を省略する。
ベルト２は１２００ｍｍの長さと４０ｍｍの幅を有し、ベルト本体１１に中芯１２と裏革１３を一体に接着してある（図４）。ベルト２の先端側であって、バックル固定箇所には裏革１３の表面（ベルトの裏面側）に接触シート１４を貼り付け、同裏面には強靭な補強シート１５（図５）を縫い付けてある。バックル固定箇所はベルト２の裏面に生じるがその範囲は、体格に合わせてベルト２の長さ調整を行う際の範囲（約１００ｍｍ）である。
【００１３】
ベルト本体１１は牛多脂革（厚さ３．２ｍｍ）であり、ベルト２の幅と長さを決めている。
中芯１２はナイロン６（厚さ約０．８ｍｍ）であって強靭なテープ状である。裏革１３は合成皮革様の耐久力がある合成樹脂シート（厚さ約１．２ｍｍ）であり、ベルト２の幅と長さである。
【００１４】
接触シート１４は、この実施例において表面に多数の小突起が面全体に形成された面ファスナー状のシートであり、ベルト２の幅にほぼ等しく、ベルトの長手方向に約１３０ｍｍの長さを有し、前記の体格に合わせてベルトの長さを調整する範囲（１００ｍｍ）の部分に重ねて貼り付けてある。
補強シート１５はナイロン６（厚さ約０．５ｍｍ、幅約３２ｍｍ）のテープ状で、ベルトの長手方向に約１３０ｍｍの長さであって、裏革１３を挟み前記接触シート１４の中央部に重なる位置に縫着されている。
【００１５】
そして、体格に合わせてベルトの長さを調整する範囲において、ベルト２の長手方向に沿って幅方向の中央部に複数（５個）の鳩目金具１６を貫通させて取り付け、掛け孔１７を等間隔に形成してある。鳩目金具１６は接触シート１４、裏革１３及び補強シート１５の３枚を貫通し、これらを挟み込む格好で取付けられる。なお、裏革１３は、鳩目金具１６を取付けてからベルト本体１１に接着し一体化される。
【００１６】
バックル３（図６）は、従来例と同様に表面板４の裏面であって右側に門形のガイド部６が、同左側に挟持部７が形成されている。ガイド部６の右辺にはフック８が形成され、また、挟持部７は、上下の軸支部９とこれに上下辺を軸支されて左右に回動（ベルト２の後端側から先端側へ、あるいはその逆への回動）が可能な挟持片１０を備える。挟持片１０は回動の軸線よりも下方となる押圧部１８と上方の操作部１９とが一体に形成されている。押圧部１８はベルト２の幅方向に長く、左から右に回動されたとき先端縁が接触シート１４を介してベルト２を裏面側から表面板４の方向へ強く押圧し、ベルト２をバックル３に固定する。固定状態は、押圧部１８が軸線をわずかに左側へ越えた位置とされることで維持される。
【００１７】
そして、実施例の押圧部１８（図６）では先端縁の幅方向中間箇所に二つの凹部を形成してその間を係合突起２０に形成してある。二つの凹部は押圧部１８の先端縁がベルト２を押圧するときに、前記鳩目金具１６の表面に現れている環状壁を跨がせ、押し潰してしまわないようにするためのものである。
【００１８】
このため、挟持片１０が固定方向に回動されると（図７）、当初（イ）の位置にあって、表面板４との間に間隔を持っていた係合突起２０は、（ロ）のように操作部１９が立ち上がるにつれてベルト２側に近接し、さらに、（ハ）のように操作部１９を右方向の最終位置に移動させると、押圧部１８が接触シート１４を介してベルト２を押圧し、また、係合突起２０が掛け孔１７に入り込む。この結果、押圧部１８の先端縁と接触シート１４との摩擦係合と、掛け孔１７と係合突起２０との係合により、ベルト２の固定が完了する。この状態は前記のように押圧部１８の先端縁が挟持片１０の回動軸線を越えて左側に位置することにより維持される。
【００１９】
図８は係合突起２０が掛け孔１７と係合する状態を挟持片１０の回動状態と共にバックル３の裏面側から見て平面的に示したものであり、図７における（イ）〜（ハ）の状態は図８の（イ）〜（ハ）と一致する。図８では、ベルト２が固定された状態での掛け孔１７の位置を実線で示し、係合状態が完了するまでの状態を鎖線で示している。なお、押圧部１８の係合突起２０と掛け孔１７の位置を合わせて固定操作を始めると、図８に破線で示すように、掛け孔１７の位置によっては、係合が完了するまでに係合突起２０の回動により、掛け孔１７の位置がバックル３に対して左方向に少し移動させられることがある。
【００２０】
バックル３にベルト２を差し通し、体格に合わせてベルト２の長さを調整した後、挟持部７によってベルト２とバックル３を固定して腰ベルト１とする。腰ベルト１は、腰に廻らせ、後端をバックル３のフック８に係合することで装着できる。
この状態でベルト２に作用する引張り力（負荷）は、挟持部７の押圧部１８によるベルト２との固定箇所に集中するが、固定箇所では接触シート１４により摩擦抵抗が向上しており、また、係合突起２０が掛け孔１７に係合しているので、すべりを生じたり、緩んでしまったりすることがない。
【００２１】
体格が異なるなどベルトの長さを調整する必要があるときは挟持部７を操作し、掛け孔１７を選択して固定しなおすことで簡単に調整することができる。なお、接触シート１４はベルト２の裏面に目視できるので、バックル３を最初にベルトへ固定する際、選択すべき位置としての目安になる。
さらに、固定箇所の負荷が押圧部１８と接触シート１４間の摩擦による固定と係合突起２０による固定とに分散されることと、固定箇所にすべりが生じないことからベルト２とバックル３との固定箇所の損傷が少なくなる。
【００２２】
以上、一つの実施例について説明した。
本願発明の技術的特徴として、裏革１３に形成する掛け孔１７を補強する必要があるが、補強材は接触シート１４や補強シート１５あるいは鳩目金具１６以外の態様であってもよい。しかし、実施例の態様を利用することでより性能が良く、耐久性の高い腰ベルト１を得ることができる。その場合に、接触シート１４や補強シート１５の素材は耐久性のあるものであれば良い。
係合突起２０と掛け孔１７のベルト幅方向の数は必要に応じて増やすことができる。
掛け孔１７のベルト長手方向の数やその間隔は必要に応じて増減することができる。
【符号の説明】
【００２３】
１  腰ベルト
２  ベルト
３  バックル
４  表面板
５  尾錠金物
６  ガイド部
７  挟持部
８  フック
９  軸支部
１０  挟持片
１１  ベルト本体
１２  中芯
１３  裏革
１４  接触シート
１５  補強シート
１６  鳩目金具
１７  掛け孔
１８  押圧部
１９  操作部
２０  係合突起
【図１】
2010270413.tif 000003
【図２】
2010270413.tif 000004
【図３】
2010270413.tif 000005
【図４】
2010270413.tif 000006
【図５】
2010270413.tif 000007
【図６】
2010270413.tif 000008
【図７】
2010270413.tif 000009
【図８】
2010270413.tif 000010